(57)【要約】【課題】使い勝手が良く、洗剤の逆流を確実に防止できる洗浄水吐出装置を提供することを課題とする。【解決手段】平面視でシンク３の周縁部からシンク３内に向けて突出する給水管部と、給水管部の先端部に設けられて給水管部から供給された洗浄水をシンク３内に吐出する吐出部２２を備える。吐出部２２に洗浄水に洗剤を供給する洗剤供給部１４を設ける。洗剤供給部１４よりも上流側に止水手段を設ける。給水管部の止水手段よりも下流側の位置に、止水手段で止水したときに給水管部内を大気に開放するための大気開放弁３２を設ける。個別に設けた給水管部側回動規制手段及び吐出部側回動規制手段により洗剤供給部１４が大気開放弁３２よりも下方に位置する範囲に規制する。【選択図】        図１
2010144493.tif 000002
【特許請求の範囲】
【請求項１】
平面視でシンクの周縁部からシンク内に向けて突出する給水管部と、給水管部の先端部に連結管部を介して設けられて給水管部から供給された洗浄水をシンク内に吐出する吐出部を備え、吐出部に前記洗浄水に洗剤を供給する洗剤供給部を設け、洗剤供給部よりも上流側に止水手段を設けると共に、給水管部の前記止水手段よりも下流側の位置に、止水手段で止水したときに給水管部内を大気に開放するための大気開放弁を設け、前記給水管部の先端部に連結管部の一端部を所定方向にのみ回動可能に連結すると共に吐出部を連結管部の他端部に前記所定方向とは異なる方向にのみ回動可能に連結し、前記連結管部の給水管部に対する回動範囲を規制する給水管部側回動規制手段と、前記吐出部の連結管部に対する回動範囲を規制する吐出部側回動規制手段とを個別に設け、これら給水管部側回動規制手段及び吐出部側回動規制手段により、前記吐出部の可動範囲を洗剤供給部が大気開放弁よりも下方に位置する範囲に規制する可動範囲規制手段を構成して成ることを特徴とする洗浄水吐出装置。
【発明の詳細な説明】
【技術分野】
【０００１】
本発明は洗剤を含む洗浄水を吐出する洗浄水吐出装置に関する。
【背景技術】
【０００２】
一般の流し台に設置されるカランは水道水を吐出するものであるため、食器等の被洗浄物を綺麗に洗浄することが難しかった。
【０００３】
また、例えば特許文献１のように、シャワーヘッドの先部に洗剤タンクと該洗剤タンク内の洗剤をシャワーヘッドを流れる洗浄水に混合する洗剤供給部を設け、シャワーヘッドから洗剤を混合した水を吐出する洗浄水吐出装置が知られている。
【特許文献１】特開２００１−２５９４８８号公報
【発明の開示】
【発明が解決しようとする課題】
【０００４】
ところで、例えば特許文献１のような洗浄水吐出装置において、洗浄水を水道水とした場合、水道法を遵守すべく洗剤が逆流することを防止する必要がある。ここで、洗剤の逆流を防止する手段としては、止水手段よりも下流側で且つ洗剤供給部よりも上流側に大気開放弁を設けることが考えられるが、前記大気開放弁は洗剤を混合する箇所よりも上方に位置することが条件となる。したがって、特許文献１のように吐出部となるシャワーヘッドを可撓性を有するシャワーホースに接続したものにおいては洗剤供給部の高さ位置を確実に制限することが難しく、採用できない。
【０００５】
また、平面視でシンクの周縁部からシンク内に突出する給水管部を設け、該給水管部の先端部に洗剤供給部を有する吐出部を固定的に設け、給水管部に大気開放弁を設けることで、大気開放弁を常に洗剤供給部よりも上方に位置させることはできるが、この場合は吐出部を動かすことができず、使い勝手が悪い。
【０００６】
本発明は上記従来の問題点に鑑みてなされたものであって、使い勝手が良く、洗剤の逆流を確実に防止できる洗浄水吐出装置を提供することを課題とする。
【課題を解決するための手段】
【０００７】
上記課題を解決するために請求項１に係る洗浄水吐出装置は、平面視でシンク３の周縁部からシンク３内に向けて突出する給水管部と、給水管部の先端部に連結管部２１を介して設けられて給水管部から供給された洗浄水をシンク３内に吐出する吐出部２２を備え、吐出部２２に前記洗浄水に洗剤を供給する洗剤供給部１４を設け、洗剤供給部１４よりも上流側に止水手段を設けると共に、給水管部の前記止水手段よりも下流側の位置に、止水手段で止水したときに給水管部内を大気に開放するための大気開放弁３２を設け、前記給水管部の先端部に連結管部２１の一端部を所定方向にのみ回動可能に連結すると共に吐出部２２を連結管部２１の他端部に前記所定方向とは異なる方向にのみ回動可能に連結し、前記連結管部２１の給水管部に対する回動範囲を規制する給水管部側回動規制手段と、前記吐出部２２の連結管部２１に対する回動範囲を規制する吐出部側回動規制手段とを個別に設け、これら給水管部側回動規制手段及び吐出部側回動規制手段により、前記吐出部２２の可動範囲を洗剤供給部１４が大気開放弁３２よりも下方に位置する範囲に規制する可動範囲規制手段を構成して成ることを特徴とする。
【発明の効果】
【０００８】
本発明では、給水管部の先端部に連結管部の一端部を所定方向にのみ回動可能に連結すると共に吐出部を連結管部の他端部に前記所定方向とは異なる方向にのみ回動可能に連結することで、吐出部を任意の方向に向けることができ、使い勝手が良い。さらに、給水管部側回動規制手段及び吐出部側回動規制手段で構成された可動範囲規制手段により、吐出部の洗剤供給部が常に大気開放弁よりも下方に位置するようにしてあるため、洗剤供給部からの洗剤の逆流を防止することができる。また、給水管部側回動規制手段と吐出部側回動規制手段とを個別に設けてあるので、簡易な構成で夫々の回動規制を確実に行うことができる。
【発明を実施するための最良の形態】
【０００９】
以下、本発明を添付図面に示す実施形態に基づいて説明する。
【００１０】
本実施形態の一例の洗浄水吐出装置１は図２のように流し台２に設けられて、気泡と洗剤を含む洗浄水をキッチン用のシンク３内に吐出するものである。
【００１１】
流し台２に設けられたシンク３の周縁部には洗浄水吐出装置１の洗浄用カラン１８とは別に飲料用カラン４が設けられている。飲料用カラン４は一般のシンクに設けられるカランと同様に図示しない水供給管から供給された水道水をシンク３内に吐出するものである。
【００１２】
図３に示すように、洗浄水吐出装置１は下流端に吐出口６が設けられた洗浄水流路５を備えている。洗浄水流路５は飲料用カラン４に水道水を供給する水供給管から分岐した流路で構成され、水供給管から水道圧を利用して供給された水道水を洗浄水として吐出する。
【００１３】
水供給管の上流側は図示しない給湯器に通じ、洗浄水流路５には洗浄水として温水も供給できるようになっている。
【００１４】
洗浄水流路５の上流部１７は流し台２の内部に通されている。上流部１７には、上流側から順に、止水栓７、逆止弁８、定流量弁９、及び開閉弁１０が設けられている。定流量弁９は供給された洗浄水を減圧し流量を一定にして下流側へと送る。開閉弁１０は電磁弁からなり、本例では該開閉弁１０により止水手段を構成している。
【００１５】
図２のように、流し台２のシンク３の後縁部上には飲料用カラン４とは別に前記洗浄水流路５の下流部２７を構成する洗浄用カラン１８が設けられている。なお、洗浄用カラン１８はシンク３の周縁部における後縁部以外の箇所に設けてあっても良い。
【００１６】
図１のように、洗浄用カラン１８は、縦管部１９、横管部２０、連結管部２１、及び吐出部２２で構成され、この順序で上流側から設けられている。
【００１７】
縦管部１９はシンク３の後縁部から上方に向けて突設され、横管部２０は縦管部１９の上部から前方に向けて突設されている。縦管部１９及び横管部２０は流し台２の外部に位置している。横管部２０は平面視でシンク３の周縁部からシンク３内に向けて突出している。
【００１８】
縦管部１９及び横管部２０にて給水管部が構成されている。なお、給水管部としてはこれに限定されるものではなく、例えばシンク３の後方に立設した壁部から前方に突出する横管等で構成しても良い。
【００１９】
連結管部２１の後端部は横管部２０の前端部に連結され、吐出部２２の上端部は連結管部２１の前端部に接続されている。吐出部２２はシンク３の上方に配置されている。
【００２０】
吐出部２２は連結管部２１に対して略垂直となる下方に延び、その下部が横管部２０よりも下方に突出している。
【００２１】
縦管部１９、横管部２０、連結管部２１、及び吐出部２２の内部には、縦流路２３、横流路２４、連結流路２５、吐出流路２６が夫々形成されている。縦流路２３の上流端部は上流部１７の下流端部に連通接続され、縦流路２３の下流端部に横流路２４の上流端部が連通接続され、横流路２４の下流端部に連結流路２５を介して吐出流路２６の上流端部が連通接続されている。縦流路２３、横流路２４、連結流路２５、及び吐出流路２６にて洗浄水流路５の下流部２７が構成され、下流部２７と上流部１７によって洗浄水流路５が構成されている。
【００２２】
図３のように縦流路２３の上流部となる下部には流量調整弁１１が設けられている。流量調整弁１１及び開閉弁１０は流し台２に内装された制御部７０に電気接続されている。なお、本例の流量調整弁１１は電動弁であるが、手動弁であっても良い。
【００２３】
図４に示すように縦管部１９の下部の外面には流量調整用操作部２８と吐出切替用操作部２９が設けられている。これら流量調整用操作部２８及び吐出切替用操作部２９は制御部７０に電気接続される。
【００２４】
流量調整用操作部２８が操作されると、制御部７０は流量調整弁１１の開度を変更する。これにより、洗浄水の吐出量を調節できるようになっている。吐出切替用操作部２９が操作されると、制御部７０は開閉弁１０の開閉を切り替える。これにより、洗浄水の吐出の有無を切り替えられるようになっている。
【００２５】
図５に示すように、略鉛直な縦流路２３の下流端部（上端部）には大気開放弁３２が設けられている。大気開放弁３２はフロート弁からなり、縦流路２３の下流端部を構成する弁収納部３１に上下方向に移動自在に収納されている。
【００２６】
弁収納部３１は縦管部１９の上端部に形成された大気開放孔３０を介して外部に連通している。また、弁収納部３１は底面から上方に突設した流入口部３３を介して洗浄水流路５の上流側に連通している。流入口部３３の上端は、略水平な横流路２４の内面の下端よりも上方に位置している。このため、横流路２４の洗浄液が流入口部３３内に逆流し難い構造となっている。
【００２７】
弁収納部３１内を洗浄水が流れているときには、図１に示すように大気開放弁３２は水圧により上昇して大気開放孔３０を閉塞する。これによって、洗浄水流路５を流れる洗浄水が大気開放孔３０から流出することが防止される。
【００２８】
弁収納部３１内の洗浄水の流れが停止したときには、図５のように大気開放弁３２は下降して流入口部３３上に載置される。これによって、大気開放孔３０が開放されて、弁収納部３１よりも下流側の洗浄水流路５が大気開放状態となり、この部分に残った洗浄水を吐出口６から確実に排出することができる。また、この場合、大気開放弁３２にて流入口部３３の上開口が閉塞され、該大気開放弁３２にて洗浄水の逆流を防止することができる。
【００２９】
図７に示すように、吐出部２２は、連結管部２１の下流端部に接続されて下流側部分が下方に向けて曲げられたノズル３４と、該ノズル３４に対して着脱自在に取り付けられる洗剤タンク３５で構成されており、全体として上下に長い略円柱状の外形を有する。なお、本例では吐出部２２を略円柱状としたが、略角柱状等であっても良い。
【００３０】
ノズル３４は、上流管体３６、下流管体３７、及びノズル先端部３８で構成され、この順序で上流側（上側）から順に設けられている。ノズル先端部３８の下端面部に吐出口６が形成されている。
【００３１】
上流管体３６は略Ｌ字状に屈曲し、その上流側の端部は上下に長い直線状の下流側部分に対して略垂直となる後方に向けて突出している。この上流管体３６の上流端部に連結管部２１の前端部が接続されている。上流管体３６の下端部は下流管体３７の上端部に挿入された状態で接続され、該上流管体３６と下流管体３７とでＬ字状に屈曲したＬ字状管部６８を構成している。
【００３２】
図６に示すように連結管部２１の後端部は他部の外径よりも直径の大きい球面状の外面を有する嵌合部３９となっている。嵌合部３９の両側には左右方向の外側に向けて突出する回動軸４０が形成されている。
【００３３】
横管部２０の前端部には球面状の内面を有する保持凹部４１が形成されている。保持凹部４１の左右両側の内面には軸受け部４２が形成されている。保持凹部４１には前記嵌合部３９が回動可能に嵌め込まれて保持されている。各回動軸４０は軸受け部４２に左右軸回り方向に回動可能に枢支されている。これにより、連結管部２１は横流路２４に対して上下方向にのみ回動可能となり、吐出部２２は横管部２０に対して前後方向に回動可能となる。
【００３４】
連結管部２１の前端部は上流管体３６の吐出部２２の背面から後方に向けて突出した上流端部に回動自在に挿入されている。これによって、ノズル３４は連結管部２１に対して左右方向（すなわち、連結管部２１の軸回り方向）にのみ回動可能となり、吐出部２２は左右方向に回動可能となる。
【００３５】
図７のように上流管体３６の下部には内面が下流側程徐々に径が小さくなる絞り面４４となった絞り部４３が形成されている。
【００３６】
絞り部４３を設けることで、この下流側に位置する下流管体３７の上部は洗浄水が流れているときに負圧が発生する負圧発生部４７となっている。
【００３７】
下流管体３７の負圧発生部４７に対応する部分には負圧発生部４７と外部を連通させる孔からなる気体混入部１３が形成されている。
【００３８】
洗浄水流路５を洗浄水が流れて負圧発生部４７にて負圧が発生した場合には、この負圧により前記気体混入部１３から気体（空気）が洗浄水に供給され混合される。
【００３９】
下流管体３７の気体混入部１３よりも下流側には、洗浄水の流れ方向において流路面積が変化する減圧・加圧部５３が形成されている。減圧・加圧部５３は、ベンチュリ管状に形成され、上流側から順に配置された、減圧部５４、小径部５５、及び加圧部５６で構成されている。
【００４０】
減圧部５４は下流側程徐々に流路径が小さくなっている。小径部５５は減圧部５４に連続して流路径が減圧部５４の下流端の流路径と同一となっている。加圧部５６は小径部５５に連続して下流側程徐々に流路径が大きくなっている。
【００４１】
下流管体３７には、洗浄水流路５の減圧部５４に連通する孔からなり前記洗剤タンク３５から洗剤が供給される洗剤供給部１４が形成されている。
【００４２】
洗剤タンク３５と洗剤供給部１４を連通させた状態で、洗浄水流路５を洗浄水が流れているときには、減圧部５４で負圧が発生して洗剤タンク３５内の洗剤が洗剤供給部１４を介して前記空気からなる気泡を含む洗浄水に混合される。なお、本例では、洗剤供給部１４を気体混入部１３よりも下流側に設けたが上流側に設けても良い。また、洗剤供給部１４は減圧部５４ではなく負圧発生部４７に対応する部分に設けても良い。
【００４３】
洗浄水が減圧・加圧部５３を通過すると圧力変動が生じ、前記気体混入部１３にて洗浄水に混入された空気からなる気泡が剪断されて微細化される。すなわち、減圧・加圧部５３は洗浄水に含まれる気泡を微細化する手段を構成している。
【００４４】
ノズル先端部３８は吐出部２２の下端部を構成する。ノズル先端部３８はＬ字状管部６８よりも大径となった円柱状の外形を有している。ノズル先端部３８の下端面部には洗浄水をシャワー状に吐出する多数の孔（図示せず）が形成され、これら多数の孔で吐出口６が構成されている。ノズル先端部３８の下部の内部には下流管体３７よりも直径が大きく前記吐出口６に連通する拡大流路４８が形成されている。
【００４５】
ノズル先端部３８の後部には上方に開口する挿入穴部５１が形成され、挿入穴部５１の下端部には拡大流路４８と連通する連通孔５２が形成されている。
【００４６】
挿入穴部５１には下流管体３７が挿入され、下流管体３７の下端開口が対向する連通孔５２を介して拡大流路４８に連通する。これによって、Ｌ字状管部６８で形成された流路５０、連通孔５２、拡大流路４８、及び吐出口６からなる吐出流路２６が形成される。
【００４７】
前記挿入穴部５１はノズル先端部３８の偏心位置となる後部に配置される。このため、ノズル先端部３８はＬ字状管部６８の下流部７１よりも径方向の外側に位置し、その大部分が下流部７１よりも前側に突出する。このノズル先端部３８の下流部７１よりも径方向の外側に突出する部分によりタンク接続部６９が構成されている。
【００４８】
洗剤タンク３５はＬ字状管部６８の前側に並べて配置される。洗剤タンク３５は、上端開口が洗剤補給口６４となった縦長容器状のタンク本体部６３と、タンク本体部６３の上端部の後部に前後に回動自在に枢支され、タンク本体部６３の洗剤補給口６４に着脱自在に取付けられる蓋部６０とで構成されている。
【００４９】
タンク本体部６３から蓋部６０を取り外すことで、洗剤補給口６４からタンク本体部６３内に洗剤を補充できるようになっている。
【００５０】
タンク本体部６３は図６のように吐出部２２の軸方向に長く後側に開口した略Ｃ字に形成され、背面の左右方向の中央部には後方に開口するノズル収納凹部６７が上下に亘って形成されている。
【００５１】
図７のようにタンク本体部６３の下端面部の前部には下方に突出する洗剤供給口部５７が形成されている。ノズル先端部３８のタンク接続部６９の上面における前部には凹部からなる洗剤受口部５８が形成されている。
【００５２】
洗剤タンク３５は、洗剤供給口部５７を洗剤受口部５８に上方から嵌め込んだ状態で、ノズル３４に取り付けられる。
【００５３】
このように洗剤タンク３５をノズル３４に取り付けた状態では、平面視で略Ｃ字状の洗剤タンク３５の外面は円形のノズル先端部３８の外周面と面一となる。また、この洗剤タンク３５のノズル収納凹部６７にＬ字状管部６８の下流部７１が洗剤タンク３５に囲まれた状態で収納され、これによって吐出部２２の外形が全体として略円柱状となっている。
【００５４】
ノズル先端部３８には洗剤受口部５８を洗剤供給部１４に連通させる洗剤供給路５９が形成されている。洗剤供給路５９には手動弁からなる切替弁６５が設けられている。ノズル先端部３８には洗剤供給切替用操作部６６が設けられている。
【００５５】
洗剤供給切替用操作部６６を操作して切替弁６５の開閉を手動で切替えられるようになっている。これにより、洗剤タンク３５を洗剤供給路５９を介して洗剤供給部１４に連通させ洗剤タンク３５から洗剤供給部１４に洗剤を供給して吐出口６から洗剤を含む洗浄水を吐出する状態と、洗剤タンク３５と洗剤供給部１４を切替弁６５にて遮断して洗剤供給部１４に洗剤を供給せず、吐出口６から洗剤を含まない洗浄水を吐出する状態とを切り替えられるようになっている。
【００５６】
洗剤タンク３５の洗剤供給口部５７にはノズル３４から洗剤タンク３５を取り外した状態で、洗剤供給口部５７から洗剤タンク３５内の洗剤が漏れ出すことを防止するための弁７２が設けられている。
【００５７】
洗浄水吐出装置１を用いて気泡及び洗剤を含む洗浄水を吐出する場合は、止水栓７を開いた状態で、吐出切替用操作部２９を操作して開閉弁１０を開くと共に、洗剤供給切替用操作部６６を操作して切替弁６５を開く。
【００５８】
これにより水供給管から洗浄水流路５に供給された洗浄水には、吐出部２２の気体混入部１３にて気体が混合されると共に洗剤供給部１４にて洗剤が混合され、減圧・加圧部５３を経て微細化された気泡及び洗剤を含む洗浄水が吐出口６から下側のシンク３に向けてシャワー状に吐出されることとなる。
【００５９】
このように、吐出された洗浄水には、微細化された多数の気泡と洗剤が含まれているため洗浄効果が高く、食器等の被洗浄物を綺麗に洗浄することができる。
【００６０】
また、洗剤を含まない洗浄水を吐出する場合は、止水栓７を開いた状態で、吐出切替用操作部２９を操作して開閉弁１０を開くと共に、洗剤供給切替用操作部６６を操作して切替弁６５を閉じれば良く、この場合、洗剤の消費量を抑えることができる。
【００６１】
ここで、洗浄用カラン１８には、連結管部２１の給水管部に対する上下方向の回動範囲を規制する給水管部側回動規制手段と、吐出部２２の連結管部２１に対する左右方向の回動範囲を規制する吐出部側回動規制手段とが個別に設けられている。
【００６２】
そして、給水管部側回動規制手段及び吐出部側回動規制手段により、前記吐出部２２の可動範囲を洗剤供給部１４（詳しくは洗剤供給部１４の洗浄水流路５側の端）が大気開放弁３２よりも下方に位置する範囲に規制する可動範囲規制手段を構成している。
【００６３】
図８に示すように、横管部２０の先端部にはキャップ７９が設けられている。
【００６４】
キャップ７９が取付けられる横流路２４の下流側端部は前方に開口する半球以下の球面８１で構成されている。図６のように球面８１の前端部の左右両側には前方に開口する軸用凹部８２が形成されている。
【００６５】
球面８１には前記連結管部２１の嵌合部３９が収納され、左右の軸用凹部８２の夫々には前記回動軸４０が収納される。
【００６６】
横流路２４の下流側端部は後方に開口するキャップ７９に被嵌され、キャップ７９はこの状態で横流路２４に係止され、取り付けられる。
【００６７】
キャップ７９の横流路２４の下流端開口に対向する前面部には、連結管部２１の嵌合部３９の最大外径よりも小径となった小径孔８０が形成されている。
【００６８】
キャップ７９の小径孔８０の周縁部は軸用凹部８２の前方を閉塞し、このキャップ７９の周縁部と対向する軸用凹部８２とで前記軸受け部４２が構成されている。また、キャップ７９の小径孔８０の周縁部と球面８１とで前記保持凹部４１が構成されている。
【００６９】
キャップ７９の小径孔８０の上側の縁部は、図８のように連結管部２１を横管部２０に対して最大限上方に回動させたときに、Ｌ字状管部６８の上流管体３６又は連結管部２１が当たる上側当接部８３となる。上側当接部８３により、連結管部２１のそれ以上の上方への回動が規制されている。
【００７０】
同様に、図示は省略するが、キャップ７９の小径孔８０の下側の縁部は、連結管部２１を横管部２０に対して最大限下方に回動させたときに、Ｌ字状管部６８の上流管体３６又は連結管部２１が当たる下側当接部８４となる。この下側当接部８４により、連結管部２１のそれ以上の下方への回動が規制される。
【００７１】
そして、上側当接部８３及び下側当接部８４と、Ｌ字状管部６８の上側当接部８３及び下側当接部８４の夫々に当接する部分により、給水管部側回動規制手段が構成されている。
【００７２】
前記キャップ７９の上側当接部８３及び下側当接部８４にて連結管部２１の上下の回動範囲が規制され、これによりノズル３４は連結管部２１を介して横流路２４に回動して、吐出部２２の吐出口６の向きを前斜め下方から後斜め下方までの範囲内でのみ変更できるようになっている。
【００７３】
図１０（ａ）に示すように連結管部２１の前端面には前方に突出するストッパ部８５を上下に２個一体に設けてある。
【００７４】
図１０（ｂ）に示すように、上流管体３６の内面の周方向の一部には上流管体３６の内側に向けて突出する突起８６が一体に突設してある。
【００７５】
図９に示すように、上流管体３６を連結管部２１に対して最大限右側に回動させたときに、突起８６は一方のストッパ部８５に当接する。これにより、ノズル３４のそれ以上の右方への回動が規制される。
【００７６】
同様に、図示は省略するが、上流管体３６を連結管部２１に対して最大限左側に回動させたときに他方のストッパ部８５に当接する。これにより、ノズル３４のそれ以上の左方への回動が規制される。
【００７７】
そして、上記両ストッパ部８５と突起８６で吐出部側回動規制手段が構成されている。
【００７８】
すなわち、前記両ストッパ部８５及び突起８６にて、上流管体３６の左右の回動範囲が規制され、これにより吐出部２２は、吐出口６の向きを左斜め下方から右斜め下方までの範囲内でのみ変更できるようになっている。
【００７９】
上記連結管部２１を横管部２０に対して前後に回動すると共に、ノズル３４を連結管部２１に対して左右に回動することにより、吐出部２２は前後方向及び左右方向に回動して吐出口６の向きを任意の向きに変更できるようになっている。
【００８０】
そして、上記給水管部側回動規制手段及び吐出部側回動規制手段で構成された可動範囲規制手段により、吐出部２２の洗剤供給部１４が常に大気開放弁３２の最下限位置となる流入口部３３の上端よりも下方に位置するようにしてあり、洗剤供給部１４からの洗剤の逆流を防止することができる。
【００８１】
また、本例では、給水管部の先端部に連結管部２１の一端部を上下方向にのみ回動可能に連結すると共に吐出部２２を連結管部２１の他端部に左右方向にのみ回動可能に連結し、給水管部側回動規制手段と吐出部側回動規制手段とを個別に設けてある。
【００８２】
このため、給水管部側回動規制手段による回動規制と、吐出部側回動規制手段による回動規制を確実なものとすることができる。
【００８３】
図１１に他例の洗浄水吐出装置１を示す。なお以下の説明では一例の洗浄水吐出装置１と同一の構成については同一の番号を付与し、重複する説明は省略する。
【００８４】
本例の洗浄水吐出装置１は、洗浄水流路５の上流部１７が、縦管部１９に設けられた湯水混合部７５と、湯水混合部７５に並列で接続される湯用配管７６及び水用配管７７で構成されている。水用配管７７には常温の水道水が供給され、湯用配管７６には給湯器を通して加熱された温水が供給され、水用配管７７から供給された水と、湯用配管７６から供給された温水とを湯水混合部７５にて混合し、これを吐出口６から吐出できるようになっている。
【００８５】
洗浄用カラン１８の縦管部１９の下部にはレバーからなる操作部７８が設けられている。操作部７８を操作することにより、湯水混合部７５にて混合される湯と水の混合比及び混合された洗浄水の吐出量を手動で調節できるようになっている。
【００８６】
なお、図１１では連結管部２１の図示は省略されているが、本例の吐出部２２は一例と同様に連結管部２１を介して横管部２０に連結されている。また、一例と同様に可動範囲規制手段により吐出部２２の可動範囲が大気開放弁３２よりも下方に位置するよう既成されているものである。
【００８７】
また、本例の洗浄水吐出装置にあっては、逆止弁８及び定流量弁９は湯水混合部７５よりも下流側に設けられている。また、湯水混合部７５が、開閉弁１０及び流量調整弁１１の機能を有しているため、開閉弁１０及び流量調整弁１１は設けられていない。
【００８８】
また、上記各例では、給水管部の先端部に連結管部２１の一端部を上下方向以外の所定方向にのみ回動可能に連結すると共に吐出部２２を連結管部２１の他端部に前記所定方向とは異なる方向にのみ回動可能に連結し、これらの回動範囲を給水管部側回動規制手段及び吐出部側回動規制手段により、規制しても良い。
【図面の簡単な説明】
【００８９】
【図１】本発明の実施の形態の一例の洗浄水吐出装置を示し、洗浄用カランの側断面図である。
【図２】同上の洗浄水吐出装置を設けた流し台の斜視図である。
【図３】同上の洗浄水吐出装置の説明図である。
【図４】同上の洗浄用カランの斜視図である。
【図５】同上の大気開放孔を開放した状態を示す洗浄用カランの側断面図である。
【図６】同上の洗浄用カランの要部の水平断面図である。
【図７】同上の吐出部の側断面図である。
【図８】同上の連結管部を最大限上方に回動した状態を示す側断面図である。
【図９】同上の上流管体を最大限右側に回動した状態を示す側断面図である。
【図１０】（ａ）は連結管部の斜視図であり、（ｂ）は上流管体の斜視図である。
【図１１】他例の洗浄水吐出装置の説明図である。
【符号の説明】
【００９０】
３  シンク
１４  洗剤供給部
２１  連結管部
２２  吐出部
３２  大気開放弁
【図１】
2010144493.tif 000003
【図２】
2010144493.tif 000004
【図３】
2010144493.tif 000005
【図４】
2010144493.tif 000006
【図５】
2010144493.tif 000007
【図６】
2010144493.tif 000008
【図７】
2010144493.tif 000009
【図８】
2010144493.tif 000010
【図９】
2010144493.tif 000011
【図１０】
2010144493.tif 000012
【図１１】
2010144493.tif 000013